(57)【要約】【課題】  特殊工具または固定具を使用すること無しに使用者により設置される、乗物の壁に物品を固定するための保持具を提供する。【解決手段】  保持具１０は、交配レールを使用することにより、下側コンポーネントへ滑動可能に取り付けられる上側コンポーネント１２を有する。上側コンポーネント１２は、例えば積荷用ネットのような物品を固定するための一体化リングを有し、下側コンポーネントは、乗物の壁に形成された開口部内にスナップ式固定される保持レッグ部９０を有する。下側コンポーネント上の解放部材３０は、上側コンポーネント１２を下側コンポーネントに固定するために、上側コンポーネント１２上のリブと係合する。解放部材３０を非係合位置へ動かすことにより、上側コンポーネント１２は下側コンポーネントから滑動可能に取り外される。【選択図】      図１
2004168303.tif 000002
【特許請求の範囲】
【請求項１】
乗物内への物品の固定において使用される保持具において、
取り付けベース上側面と取り付けベース下側面とを有し且つ中央開口部を形成する下側取り付けベースであって、前記取り付けベース上側面から外側へ延在し且つ前記取り付けベース上側面を横断して延在する少なくとも一つのレールと、前記中央開口部から半径方向に外側へ延在する解放部材と、前記取り付けベース下側面から外側へ延在する保持レッグ部とを有する下側取り付けベースと、
前記下側取り付けベースに取り付け可能で且つ上側面と下側面とを有する上側コンポーネントとを有し、
前記上側コンポーネントは、前記下側取り付けベースの前記少なくとも一つのレールと係合するために前記上側コンポーネントの前記下側面から外側へ延在し且つ前記上側コンポーネントの前記下側面を横断して延在する少なくとも一つのレールと、前記解放部材との係合のために前記上側コンポーネントの前記下側面から外側に延在し且つ前記上側コンポーネントの前記下側面を横断して延在する中央リブと、物品を前記保持具に取り付けるために前記上側コンポーネントの前記上側面から外側に延在する物品取り付け部材とを有する、保持具。
【請求項２】
さらに、前記保持レッグ部は、基材と係合する対向する面を有する、請求項１に記載の保持具。
【請求項３】
さらに、前記上側コンポーネントは、前記上側コンポーネント下側面から外側へ延在し且つ前記上側コンポーネント下側面を横断して延在する一対の側部リブであって、前記中央リブと実質的に平行に整列される一対の側部リブを有する、請求項２に記載の保持具。
【請求項４】
前記物品取り付け部材はリングである、請求項３に記載の保持具。
【請求項５】
さらに、前記保持レッグ部は、基材の開口部内への前記下側取り付けベースの挿入および取り外しを容易にする少なくとも一つのレッグフィンガー部を有する、請求項２に記載の保持具。
【請求項６】
前記少なくとも一つのレッグフィンガー部は、前記下側取り付けベースの前記中央開口部を通して延在する、請求項５に記載の保持具。
【請求項７】
前記解放部材は固定端部と自由端部とを有し、前記自由端部は前記下側取り付けベースから前記上側コンポーネントを滑動可能に解放することを可能にするように動作可能である、請求項１に記載の保持具。
【請求項８】
前記上側コンポーネントの前記少なくとも一つのレールは、レール溝部を有する、請求項１に記載の保持具。
【請求項９】
前記下側取り付けベースの前記少なくとも一つのレールは、前記レール溝部と係合するためのレールリブを有する、請求項８に記載の保持具。
【請求項１０】
保持具組立体において、
ベースコンポーネントと上側コンポーネントとを有し、
前記ベースコンポーネントは、第一コンポーネント係合部材と、前記ベースコンポーネントを基材に取り外し可能に係留するために前記ベースコンポーネントから外側に延在する保持レッグ部と、解放部材とを有し、
前記上側コンポーネントは、リングと、前記ベースコンポーネントを係合するための第二コンポーネント係合部材と、前記解放部材と動作可能に係合するためのリブとを有する、保持具組立体。
【請求項１１】
前記第一コンポーネント係合部材は、前記上側コンポーネントを係合するためのレールである、請求項１０に記載の保持具組立体。
【請求項１２】
さらに、前記保持レッグ部は少なくとも一つの基材係合部材を有する、請求項１０に記載の保持具組立体。
【請求項１３】
さらに、前記保持レッグ部は、前記基材からの前記ベースコンポーネントの取り外しを可能にする少なくとも一つのレッグフィンガー部を有する、請求項１２に記載の保持具組立体。
【請求項１４】
前記少なくとも一つのレッグフィンガー部は前記ベースコンポーネントの中央開口部を通して延在する、請求項１３に記載の保持具組立体。
【請求項１５】
前記解放部材は固定端部と自由端部とを有し、前記自由端部は、前記ベースコンポーネントから前記上側コンポーネントを滑動可能に解放することを可能にするように移動可能である、請求項１０に記載の保持具組立体。
【請求項１６】
保持具組立体において、
ベースコンポーネントと上側コンポーネントとを有し、
前記ベースコンポーネントは、前記ベースコンポーネントを基材へ取り外し可能に係留するために前記ベースコンポーネントから外側に延在する保持レッグ部であって、少なくとも一つの基材係合部材を有する保持レッグ部と、解放部材とを有し、
前記上側コンポーネントは、物品受け入れ部材と、前記上側コンポーネントを前記ベースコンポーネントに動作可能に結合するためのコンポーネント係合部材とを有する、保持具組立体。
【請求項１７】
さらに、前記上側コンポーネントは前記解放部材と動作可能に係合するためのリブを有する、請求項１６に記載の保持具組立体。
【請求項１８】
さらに、前記ベースコンポーネントは、前記上側コンポーネントに前記ベースコンポーネントを動作可能に結合するためのコンポーネント結合部材を有する、請求項１６に記載の保持具組立体。
【請求項１９】
前記コンポーネント係合部材はレールである、請求項１８に記載の保持具組立体。
【請求項２０】
前記ベースコンポーネントは開口部を有し、前記保持レッグ部は、前記基材から前記ベースコンポーネントを選択的に取り外すために前記開口部を通して延在する少なくとも一つのレッグフィンガー部を形成する、請求項１６に記載の保持具組立体。
【発明の詳細な説明】
【技術分野】
【０００１】
本発明は、概して、乗物内に物品を固定するための手段、特に、積荷用ネット（網）ような種々の物品を乗物の内壁に固定するための、一体化フックまたはリングを有する取り外し可能な保持具に関する。
【背景技術】
【０００２】
乗物の内壁に物品を固定するための種々の保持具手段は知られている。例えば積荷用ネットのような物品を乗物の内壁に固定するために、種々のタイプのリングおよびフックが乗物内で使用されることは知られている。これらの手段の多くは、固定具およびピンなどを使用して、乗物の内壁に固定されるかまたは、さもなければ係留される。しかし、これらの知られている保持具手段は幾つかの欠点を有する。例えば、これらの保持具手段の多くは、保持具手段の操作および固定に必要となる、金属フックまたはプラスチックフックと、交配するコンポーネントと、多様な固定具とを含む多様なコンポーネント（部品）を含む。さらに、これらの知られている保持具は乗物製造業者により設置され、通常、特殊工具の使用と幾つかの製造工程および組み立て工程とを必要とする。
【発明の開示】
【発明が解決しようとする課題】
【０００３】
本発明は、存在する保持具手段におけるこれらの、および他の知られた欠点および短所の解決に向けられる。
【課題を解決するための手段】
【０００４】
本発明は、例えば乗物の内壁のような壁または他の面に物品を固定するために役立つ保持具手段に向けられる。本発明は、特殊工具または固定具を使用することなく、使用者により設置および取り外しされる。本発明は、多数のタイプの物品を保持具へ取り付けるためのリングを有する上側コンポーネントと、壁または他の面の開口部内にスナップ式固定される脚部を有する下側コンポーネントとの、二つのコンポーネントを使用することを含む。上側コンポーネントは下側コンポーネント上を滑り、所定の位置内へ嵌め込まれる。急速解放部材を操作することにより、上側コンポーネントは下側コンポーネントから滑り出され取り外される。同様に、下側コンポーネンの解放部材を操作することにより、下側コンポーネントは壁または他の面から取り外される。
【０００５】
本発明の他の特徴および利点は、以下の詳細な説明、特許請求の範囲および図面を精査することにより当業者に明らかになり、図面内の同一の参照番号は同一の形態を指し示すように使用される。
【０００６】
本発明の実施例が詳細に説明される前に、本発明が、その適用において、以下の記載に述べられた、または図面に示されたコンポーネントの構成および配置の詳細に限定されないことは理解されるべきである。本発明は他の実施例が可能であり、多様な方法で実践または実行されることが可能である。また、本明細書で使用される言葉使いまたは専門用語は、説明のために使用され、限定としてみなされるべきでない。”含む（有する）”、”具備する”およびその変形の使用は、その後ろに挙げられた物品および、その等価物を含むことが意図され、同様に、付加的な物品およびその等価物を含むことが意図される。
【発明を実施するための最良の形態】
【０００７】
図１から図５を参照すると、本発明の保持具１０が示されている。保持具１０は、下側取り付けベース１４に取り外し可能に取り付けられる上側コンポーネント１２を有する。本発明の保持具１０は、例えば乗物の内壁の開口部のような基材の開口部または他の孔部内にスナップ式固定され、下記に説明されるように、例えば積荷用ネットのような物品を乗物内に固定するためのアンカー（留め具）としての役割を果たす。保持具１０は、乗物内に物品を固定するために役立つのみならず、基材または同様の表面に物品を固定することが必要とされる多数の他の適用に使用されてもよいことは理解されるべきである。
【０００８】
図６から図９を参照すると、上側コンポーネント１２は、頂面１８および底面２０を形成する上側コンポーネントベース１６を有する。リングまたはフック２２は、ベース１６と一体化形成され、頂面１８から外側へ延在する。リングまたはフック２２は、例えば積荷用ネットのような取り付け物を上側コンポーネント１２へ固定するための他のリング、フックまたは同様の手段を受け入れる。図示されているように、上側コンポーネント１２の頂面１８は、比較的に平らで平坦な表面であり、頂面１８から下側へ延在する側壁２６への滑らかな面の移行を形成するように丸められるか、または輪郭付けられた周囲縁２４を形成する。図７から図９に示すように、側壁２６は、上側コンポーネントベース１６の周囲縁２４のまわりの約中間まで延在し、側壁開口部２８を形成し、下側取り付けベース１４から上側コンポーネント１２の選択的な取り外しを許可するために、下述される下側取り付けベース１４の解放部材またはフィンガー部３０が、側壁開口部２８を通して延在する。側壁２６は、下述のような下側取り付けベース１４の下側取り付けベース側壁３６上に形成された側壁終端部３４と係合する側壁終端部３２を有する。
【０００９】
図６から図８を参照すると、リングまたはフック２２は、周囲縁２４付近の上側コンポーネント１２の頂面１８から外側へ延在する。リングまたはフック２２は、多数の形状および形態を形成してもよく、上側コンポーネント１２上の多数の場所で上側コンポーネント１２から外側へ延在し、さらに別のリング、フックまたは他の手段の固定を可能としてもよいことは理解されるべきである。説明されたように、リングまたはフック２２は、別のリング、フックまたは他の手段を設置または固定するための、美学的に見て美しい外観で表面が荒くない安全な取り付け面を形成するために、鋭い縁および角部のない丸められ滑らかな本体を形成する。
【００１０】
図７から図９を参照すると、下側取り付けベース１４に対する上側コンポーネント１２の滑動可能な整列および取り付けを可能にする複数のリブおよびレールが、上側コンポーネント１２の底面２０上に配置される。特に、上側コンポーネント１２は、中央リブ３８と一対の対向する側部リブ４０とを有する。中央リブ３８は、底面２０から外側に延在し、底面２０の中央部で、または中央部付近で底面２０を横断し、コンポーネント側壁２６内の側壁開口部２８へ延在する。下側取り付けベース１４と組み立てられるとき、中央リブ３８は、解放部材またはフィンガー部３０と結合し、該フィンガー部３０は、下側取り付けベース１４からの上側コンポーネント１２の選択的で滑動可能な取り外しを可能にする。側部リブ４０は、中央リブ３８の両側に配置される。センターリブ３８と同様に、側部リブ４０は、底面２０から外側へ延在し、底面２０を横断し延在する。側部リブ４０は、下側取り付けベース１４との上側コンポーネント１２の滑動可能な整列を助力し、下側取り付けベース１４に対する上側コンポーネント１２の回転を妨げる。側部リブ４０は、下側取り付けベース１４への上側コンポーネント１２の滑動可能な挿入を容易にするように、先細の端部４２を形成する。
【００１１】
また、一対の対向するレール４４は、上側コンポーネント１２の底面２０上に配置され、下側取り付けベース１４に上側コンポーネント１２を保持するために、下述される下側取り付けベース１４から外側へ延在する交配レール４６を受け入れる。図７、図１１、図１４および図１５に示されるように、レール４４は、底面２０から外側へ延在し、ほぼＬ字形状の断面を有し、下述される下側取り付けベース１４のレール４６により形成される交配レールリブ５０と滑動可能に係合するレール溝部４８を形成する。レール溝部４８および交配レールリブ５０は、レール４４およびレール４６を一緒に結合することを助力する。さらに、レール溝部４８は、上側コンポーネント１２のレール４４への下側取り付けベース１４のレール４６の滑動可能な係合を容易にする。図７から図９を戻って参照すると、中央リブ３８および側部リブ４０と同様に、レール４４は、上側コンポーネント１２の底面２０を横断して延在し、中央リブ３８および側部リブ４０と実質的に平行に整列される。図９に示されるように、レール４４は、一端では、レール４４に対する付加的な支持構造を提供するために側壁２６と一体的に形成される。他端では、レール４４は、上側コンポーネント１２のレール４４への下側取り付けベース１４のレール４６の滑動可能な整列を助力し容易にするように、丸められるか、または、輪郭付けられた面を形成する。上側コンポーネント１２の底面２０から外側へ延在するリブ３８、４０およびレール４４の他の配置、形態、整列および位置が本発明において可能であり、下側取り付けベース１４への上側コンポーネント１２の取り外し可能な取り付けをさらに容易することは、当業者に理解されうる。
【００１２】
図１０から図１３を参照すると、下側取り付けベース１４は頂面７０および底面７２を有する。上側コンポーネント１２の交配レール４４と滑動可能に係合するレール４６は、頂面７０から外側へ延在する。レール４６は、頂面７０上で実質的に平行に配置され、ほぼＬ字形状の断面を有する。図１１および図１５に示されるように、各レール４６は、レール４６から外側へ延在し且つ上側コンポーネント１２のレール４４のレール溝部４８と整列し交配するレールリブ５０を有する。レールリブ５０およびレール溝部４８は、レール４４およびレール４６の結合を容易にする。図１０を戻って参照すると、レール端部７４でレール４６は、交配レール４４および４６の滑動可能な整列を助力するように丸められるか、または輪郭付けられた面を形成する。前述のような、下側取り付けベース１４のレール４６の他の配置、整列、形態および位置が本発明において可能であることは当業者により理解されうる。
【００１３】
また、下側取り付けベース１４は周囲縁７６を形成する。図１０および図１２を参照すると、取り付けベース１４の周囲縁７６のまわりの約中間まで延在する下側取り付けベース側壁３６は、周囲縁７６で頂面７０から外側へ延在する。取り付けベース側壁３６は、側壁終端部３４を有し、該側壁終端部３４は、下側取り付けベース１４上に上側コンポーネント１２が滑動可能に挿入されると、上側コンポーネント側壁２６の側壁終端部３２と係合する。換言すると、上側コンポーネント１２は、側壁終端部３２、３４が互いに接触し、下側取り付けベース１４に対する上側コンポーネント１２の滑動可能な動きが停止するまで、交配レール４４、４６に沿って下側取り付けベース１４に滑動可能に取り付けられる。
【００１４】
図１０から図１３を参照すると、下側取り付けベース１４から上側コンポーネント１２を選択的に滑動可能に取り外すことを可能にする解放部材またはフィンガー部３０は、下側取り付けベース１４から半径方向に延在する。図示されているように、解放フィンガー部３０は、解放フィンガー部３０の旋回可能な動きを可能にする固定端部８０と、上側へ延在する肩部８４を形成する自由端部８２とを有し、肩部８４は、解放フィンガー部３０が上側コンポーネント１２の中央リブ３８と整列されるとき、下側取り付けベース１４上で上側コンポーネント１２を保持および固定する役割を果たす。取り付けベース１４から上側コンポーネント１２を解放するために、解放フィンガー部３０は、肩部８４が中央リブ３８と整列されなくなるまで、図２、図５および図１０における矢印方向８６に指し示されるように、自由端部８２で接線に沿って動かされる。上側コンポーネント１２は、図２および図６に示されている矢印方向８７により指し示されているように、下側取り付けベース１４から滑動可能に取り外される。同様に、取り付けベース１４上に上側コンポーネント１２を設置するために、解放フィンガー部３０は、上側コンポーネント１２の中央リブ３８が解放フィンガー部３０のそばを通過するように適当な隙間が形成されるまで、矢印方向８６に指し示されているように、自由端部８２で接線に沿って動かされる。上側コンポーネント１２は、側壁終端部３２、３４が互いに接触するまで、交配レール４４、４６を介して下側取り付けベース１４上で滑らされ、ここで、解放フィンガー部３０は、該解放フィンガー部３０の肩部８４が中央リブ３８と整列するまで接線に沿って動かされる。ここで、上側コンポーネント１２は、解放部材またはフィンガー部３０により下側取り付けベース１４に固定される。
【００１５】
組み立てられると、上側コンポーネント１２の側部リブ４０は、下側取り付けベース１４に対して上側コンポーネント１２の回転を妨げさらに下側取り付けベース１４上に上側コンポーネント１２を固定するために、レール４６の側壁と接触する。さらに、上側コンポーネント１２の中央リブ３８は、図１０に示されている上側面７０上の配置される中央リブ８８と整列する。
【００１６】
図１１から図１３を参照すると、下側取り付けベース１４は、さらに、本発明の保持具１０を例えば壁または他の表面のような基材の穴部または開口部にスナップ式固定するために、下側取り付けベース１４の中央に配置された保持レッグ部（脚部）９０を有する。保持レッグ部９０は下側取り付けベース１４の底面７２から外側へ延在する。保持レッグ部９０は、保持レッグ部９０の基材の穴部または開口部内への挿入を容易にするために、概して、円筒形状の本体と丸められた端部９２とを有する。図１０および図１５を参照すると、基材からの下側取り付けベース１４の取り外しを可能にするために、下述するような対向する保持レッグフィンガー部９４が保持レッグ部９０から延在する。保持レッグフィンガー部９４は、図１０および図１３に示されている下側取り付けベース１４の中央開口部９６を通して延在し、図１５に示されているように上側面７０の上方へ突出する。図１１、図１２および図１５に示されるように、保持レッグ部９０は、また、隆起がつけられ傾斜がつけられた対向する面９８を有し、保持レッグ部９０が基材の穴部または開口部を通して設置されるとき、保持レッグ部９０は、穴部または開口部内にスナップ式固定され、基材の底面を把持することにより下側取り付けベース１４を基材に固定する。下側取り付けベース１４が取り付けられている基材また表面から下側取り付けベース１４を取り外すために、レッグフィンガー部９４は互いの方へ手により押し付けられ、よって、隆起がつけられ傾斜させられた面９８の係合を基材の底面から解放する。そこで、下側取り付けベース１４は基材の開口部から取り外される、または引き出される。
【００１７】
前述の変形および変更は本発明の範囲内である。本明細書において開示および明確にされた本発明が、本文および／または図面から言及されまたは明確された個々の形態の二つ以上の全ての代替の組み合わせにまで広がることは理解されるべきである。これらの異なる全ての組み合わせは、本発明の多様な代替の態様を構成する。本明細書に記載された実施例は本発明を実行するための最良の形態を説明し、当業者が本発明を利用することを可能にする。特許請求の範囲には、従来技術から明らかな範囲の代替の実施例が含まれると解釈されるべきである。
【００１８】
本発明の多様な形態が特許請求の範囲の記載の中で述べられる。
【図面の簡単な説明】
【００１９】
【図１】本発明の例証的な保持具の等角図である。
【図２】図１の本発明の平面図である。
【図３】図１の本発明の側面図である。
【図４】図１の本発明のもう一つの側面図である。
【図５】本発明の例証的な上側コンポーネントおよび下側コンポーネントの等角図である。
【図６】図５の本発明の例証的な上側コンポーネントの平面図である。
【図７】図５の本発明の例証的な上側コンポーネントの側面図である。
【図８】図５の本発明の例証的な上側コンポーネントのもう一つの側面図である。
【図９】図５の発明の例証的な上側コンポーネントの底面図である。
【図１０】図５の本発明の例証的な下側コンポーネントの平面図である。
【図１１】図５の本発明の例証的な下側コンポーネントの側面図である。
【図１２】図５の本発明の例証的な下側コンポーネントのもう一つの側面図である。
【図１３】図５の本発明の例証的な下側コンポーネントの底面図である。
【図１４】図５の本発明の例証的な上側コンポーネントの部分等角図である。
【図１５】図５の本発明の例証的な下側コンポーネントの部分等角図である。
【符号の説明】
【００２０】
１０…保持具
１２…上側コンポーネント
１４…下側取り付けベース
３０…解放部材またはフィンガー部
９０…保持レッグ部
【図１】
2004168303.tif 000003
【図２】
2004168303.tif 000004
【図３】
2004168303.tif 000005
【図４】
2004168303.tif 000006
【図５】
2004168303.tif 000007
【図６】
2004168303.tif 000008
【図７】
2004168303.tif 000009
【図８】
2004168303.tif 000010
【図９】
2004168303.tif 000011
【図１０】
2004168303.tif 000012
【図１１】
2004168303.tif 000013
【図１２】
2004168303.tif 000014
【図１３】
2004168303.tif 000015
【図１４】
2004168303.tif 000016
【図１５】
2004168303.tif 000017